(57)【特許請求の範囲】
【請求項１】
移動通信システム内で、第１キャリア及び第２キャリアを用いて、基地局装置と無線通信するユーザ装置であって、
前記第１キャリア及び前記第２キャリアにおける測定処理を行うように構成されている測定部を具備し、
前記測定部は、前記第１キャリアにおいてＤＲＸ制御が適用されている場合、ＤＲＸ周期毎に設定される受信区間外でのみ、前記第２キャリアにおける測定処理を行うように構成されており、
前記無線通信は、「Ｃａｒｒｉｅｒ  ａｇｇｒｅｇａｔｉｏｎ」通信であり、
前記第１キャリアは、ＰＣＣであり、
前記第２キャリアは、ＳＣＣであり、
前記第１キャリア及び前記第２キャリアは、同一の周波数バンド内に配置されていることを特徴とするユーザ装置。
【請求項２】
移動通信システム内で、第１キャリア及び第２キャリアを用いて、基地局装置と無線通信するユーザ装置であって、
前記第１キャリア及び前記第２キャリアにおける測定処理を行うように構成されている測定部を具備し、
前記測定部は、前記第１キャリアにおいてＤＲＸ制御が適用されている場合、ＤＲＸ周期毎に設定される受信区間外でのみ、前記第２キャリアにおける測定処理を行うために測定帯域幅の制御を行うように構成されており、
前記無線通信は、「Ｃａｒｒｉｅｒ  ａｇｇｒｅｇａｔｉｏｎ」通信であり、
前記第１キャリアは、ＰＣＣであり、
前記第２キャリアは、ＳＣＣであり、
前記第１キャリア及び前記第２キャリアは、同一の周波数バンド内に配置されていることを特徴とするユーザ装置。
【請求項３】
前記測定部は、前記測定処理において、下りリンクのリファレンス信号の受信レベル、ＲＳＲＰ及びＲＳＲＱの少なくとも１つを測定するように構成されていることを特徴とする請求項１又は２に記載のユーザ装置。
【請求項４】
前記測定部は、前記測定処理において、ハンドオーバのための下りリンクの測定処理を行うように構成されていることを特徴とする請求項１又は２に記載のユーザ装置。
【請求項５】
前記測定部は、前記測定処理において、下りリンクのチャネル品質情報を測定するように構成されていることを特徴とする請求項１又は２に記載のユーザ装置。
【請求項６】
移動通信システム内で、第１キャリア及び第２キャリアを用いて、基地局装置とユーザ装置との間で無線通信を行う移動通信方法であって、
前記第１キャリア及び前記第２キャリアにおける測定処理を行う工程を有し、
前記工程において、前記第１キャリアにおいてＤＲＸ制御が適用されている場合、ＤＲＸ周期毎に設定される受信区間外でのみ、前記第２キャリアにおける測定処理を行っており、
おり、
前記無線通信は、「Ｃａｒｒｉｅｒ  ａｇｇｒｅｇａｔｉｏｎ」通信であり、
前記第１キャリアは、ＰＣＣであり、
前記第２キャリアは、ＳＣＣであり、
前記第１キャリア及び前記第２キャリアは、同一の周波数バンド内に配置されていることを特徴とする移動通信方法。
【発明の詳細な説明】
【技術分野】
【０００１】
本発明は、ユーザ装置及び移動通信方法に関する。特に、本発明は、次世代移動通信技術を用いる移動通信システムにおけるユーザ装置及び移動通信方法に関する。
【背景技術】
【０００２】
広帯域符号分割多重接続（ＷＣＤＭＡ：Ｗｉｄｅｂａｎｄ  Ｃｏｄｅ  Ｄｉｖｉｓｉｏｎ  Ｍｕｌｔｉｐｌｅｘｉｎｇ  Ａｃｃｅｓｓ）方式や、高速下りリンクパケットアクセス（ＨＳＤＰＡ：Ｈｉｇｈ-Ｓｐｅｅｄ  Ｄｏｗｎｌｉｎｋ  Ｐｃｋｅｔ  Ａｃｃｅｓｓ）方式や、高速上りリンクパケットアクセス（ＨＳＵＰＡ：Ｈｉｇｈ-Ｓｐｅｅｄ  Ｕｐｌｉｎｋ  Ｐｃｋｅｔ  Ａｃｃｅｓｓ）方式等の後継となる通信方式、すなわち、ロングタームエボリューション（ＬＴＥ：Ｌｏｎｇ  Ｔｅｒｍ  Ｅｖｏｌｕｔｉｏｎ）方式が、ＷＣＤＭＡの標準化団体３ＧＰＰで検討され、仕様化作業が進められている。
【０００３】
ＬＴＥ方式での無線アクセス方式として、下りリンクについては直交周波数分割多重接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）方式が規定され、上りリンクについてはシングルキャリア周波数分割多重接続（ＳＣ-ＦＤＭＡ：Ｓｉｎｇｌｅ-Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式が規定されている（例えば、非特許文献１参照）。
【０００４】
ＯＦＤＭＡ方式は、周波数帯域を複数の狭い周波数帯域（サブキャリア）に分割し、各サブキャリアにデータを載せて伝送を行うマルチキャリア伝送方式である。ＯＦＤＭＡ方式によれば、サブキャリアを周波数軸上に直交させながら密に並べることで高速伝送を実現し、周波数の利用効率を上げることが期待できる。
【０００５】
ＳＣ-ＦＤＭＡ方式は、周波数帯域をユーザ装置ＵＥ（Ｕｓｅｒ  Ｅｑｕｉｐｍｅｎｔ）毎に分割し、複数のユーザ装置ＵＥ間で異なる周波数帯域を用いて伝送するシングルキャリア伝送方式である。ＳＣ-ＦＤＭＡ方式によれば、ユーザ装置ＵＥ間の干渉を簡易且つ効果的に低減することができることに加えて送信電力の変動を小さくできるので、ＳＣ-ＦＤＭＡ方式は、ユーザ装置ＵＥの低消費電力化及びカバレッジの拡大等の観点から好ましい。
【０００６】
ＬＴＥ方式では、下りリンク及び上りリンクの両方において、ユーザ装置ＵＥに対して１つ以上のリソースブロック（ＲＢ：Ｒｅｓｏｕｒｃｅ  Ｂｌｏｃｋ）が割り当てられて通信が行われる。
【０００７】
基地局装置ｅＮＢは、サブフレーム（ＬＴＥ方式では、１ｍｓ）毎に、複数のユーザ装置ＵＥの中で、どのユーザ装置ＵＥに対してリソースブロックを割り当てるかについて決定する（かかるプロセスは「スケジューリング」と呼ばれる）。
【０００８】
下りリンクにおいては、基地局装置ｅＮＢが、スケジューリングで選択されたユーザ装置ＵＥに対して、１以上のリソースブロックを用いて共有チャネル信号を送信し、上りリンクにおいては、スケジューリングで選択されたユーザ装置ＵＥが、基地局装置ｅＮＢに対して、１以上のリソースブロックを用いて共有チャネル信号を送信する。
【０００９】
なお、かかる共有チャネル信号は、上りリンクにおいては、ＰＵＳＣＨ（Ｐｈｙｓｉｃａｌ  Ｕｐｌｉｎｋ  Ｓｈａｒｅｄ  Ｃｈａｎｎｅｌ）上の信号であり、下りリンクにおいては、ＰＤＳＣＨ（Ｐｈｙｓｉｃａｌ  Ｄｏｗｎｌｉｎｋ  Ｓｈａｒｅｄ  Ｃｈａｎｎｅｌ）上の信号である。
【００１０】
また、ＬＴＥ方式の後継の通信方式として、ＬＴＥ-ａｄｖａｎｃｅｄ方式が、３ＧＰＰで検討されている。ＬＴＥ-ａｄｖａｎｃｅｄ方式の要求条件は、非特許文献２にまとめられている。
【００１１】
ＬＴＥ-ａｄｖａｎｃｅｄ方式では、「Ｃａｒｒｉｅｒ  ａｇｇａｒｅｇａｔｉｏｎ（キャリアアグリゲーション、ＣＡ）」を行うことが可能である。ここで、「Ｃａｒｒｉｅｒ  ａｇｇｒｅｇａｔｉｏｎ」とは、複数のキャリアを用いて同時に通信を行うことを意味する。
【００１２】
例えば、上りリンクにおいてＣＡが行われる場合、ユーザ装置ＵＥは、「Ｃｏｍｐｏｎｅｎｔ  Ｃａｒｒｉｅｒ」毎に異なるキャリアを用いて送信を行うため、複数のキャリアを用いて上りリンク信号を送信する。
【００１３】
また、下りリンクにおいて「Ｃａｒｒｉｅｒ  ａｇｇｒｅｇａｔｉｏｎ」が行われる場合、基地局装置ｅＮＢは、「Ｃｏｍｐｏｎｅｎｔ  Ｃａｒｒｉｅｒ（コンポーネントキャリア、ＣＣ」毎に異なるキャリアを用いて送信を行うため、複数のキャリアを用いて下りリンク信号を送信する。
【００１４】
ところで、複数のセルを具備する移動通信システムでは、ユーザ装置ＵＥは、１つのセルから他のセルに移動するときに、セルを切り替えて通信を継続するように構成されている。かかるセルの切り替えを「ハンドオーバ」という。
【００１５】
一般的に、移動通信システムでは、ユーザ装置ＵＥが、隣接セルに移動し、かかるユーザ装置ＵＥにおいて、隣接セルからの信号の無線品質が、サービングセル（Ｓｅｒｖｉｎｇ  Ｃｅｌｌ）からの信号の無線品質よりも強くなった場合に、当該ユーザ装置ＵＥは、隣接セルにハンドオーバを行うように構成されている。
【００１６】
なお、前記信号の無線品質として、例えば、信号の受信電力が用いられる。かかる信号の受信電力は、より具体的には、例えば、隣接セル又はサービングセルから送信される、下りリンクの参照信号（Ｒｅｆｅｒｅｎｃｅ  Ｓｉｇｎａｌ）の受信電力（ＲＳＲＰ：Ｒｅｆｅｒｅｎｃｅ  Ｓｉｇｎａｌ  Ｒｅｃｅｉｖｅｄ  Ｐｏｗｅｒ）である（ＲＳＲＰの定義については、非特許文献３を参照）。
【００１７】
なお、かかる信号の無線品質として、かかるＲＳＲＰの代わりに、下りリンクの参照信号の無線品質（ＲＳＲＱ：Ｒｅｆｅｒｅｎｃｅ  Ｓｉｇｎａｌ  Ｒｅｃｅｉｖｅｄ  Ｑｕａｌｉｔｙ）や、下りリンクの参照信号のＳＩＲ（ＲＳ-ＳＩＲ）、ＣＱＩ（Ｃｈａｎｎｅｌ  Ｑｕａｌｉｔｙ  Ｉｎｄｉｃａｔｏｒ）や、ＣＳＩ（Ｃｈａｎｎｅｌ  Ｓｔａｔｅ  Ｉｎｆｏｒｍａｔｉｏｎ）等が用いられることもある。
【００１８】
図６及び図７を参照して、かかるハンドオーバ手順の一例について、具体的に説明する。以下の説明では、信号の受信電力（ＲＳＲＰ）が、信号の無線品質として用いられる。
【００１９】
図６に示すように、ステップＳ１において、ユーザ装置ＵＥは、サービングセル及び隣接セルからの信号の受信電力を測定する。また、ユーザ装置ＵＥは、検知していない隣接セルを検知するために、かかる測定と並行して、セルサーチを行ってもよい。本処理における「セルサーチ」及び「サービングセル及び隣接セルの無線品質（受信電力）の測定」は、総称して「Ｍｅａｓｕｒｅｍｅｎｔ処理（測定処理）」と呼ばれてもよい。
【００２０】
ステップＳ２において、ユーザ装置ＵＥは、隣接セルからの信号の受信電力が、以下の（式１）を満たすか否かについて判定する。
【００２１】
隣接セルからの信号の受信電力  ＋  ヒステリシス  ＞  サービングセルからの信号の受信電力  …  （式１）
かかる（式１）が満たされていると判定された場合、ステップＳ２において、ユーザ装置ＵＥは、上述の測定結果を報告するためのイベントＡ３を、ネットワークに対して通知する。
【００２２】
具体的には、ユーザ装置ＵＥは、図７に示すように、サービングセル（セルＡ）及び監視対象セルである周辺セル（セルＢ）からの信号の受信電力を測定し、予め通知されている「ヒステリシス［ｄＢ］」及び「ＴＴＴ（Ｔｉｍｅ  Ｔｏ  Ｔｒｉｇｇｅｒ）［ｍｓ］」を用いて、上述の測定結果を通知するか否かについて判定する。
【００２３】
つまり、図７において、所定期間「ＴＴＴ」以上、セルＢからの信号の受信電力（無線品質）が、「ヒステリシス」以上、セルＡからの信号の受信電力（無線品質）よりも上回っている状態が継続している場合、ユーザ装置ＵＥは、上述の測定結果を含む「Ｍｅａｓｕｒｅｍｅｎｔ  ｒｅｐｏｒｔ（測定報告）」を通知するべきであると判定する。
【００２４】
ここで、「ヒステリシス」は、セル境界でサービングセルから隣接セルへのハンドオーバが頻繁に生じないために設けられる値であり、正の値でもよく、負の値でもよいが、一般的には負の値が設定される。
【００２５】
そして、ステップＳ３において、ネットワークは、イベントＡ３の通知を受信すると、かかるユーザ装置ＵＥが、受信したイベントＡ３に係るセルに対してハンドオーバすべきであることを決定する。
【００２６】
なお、（式１）は、以下の（式２）のような形がとられる場合もある。（式２）の場合、ヒステリシス及びオフセットの両方が、ヒステリシス的に動作する。
【００２７】
隣接セルからの信号の受信電力  ―  ヒステリシス  ＞  サービングセルからの信号の受信電力  ＋  オフセット  …  （式２）
「Ｃａｒｒｉｅｒ  ａｇｇｒｅｇａｔｉｏｎ」を行う場合、一般に、ユーザ装置ＵＥは、各「Ｃｏｍｐｏｎｅｎｔ  Ｃａｒｒｉｅｒ」に関して、上述したサービングセル及び隣接セルからの信号の受信電力の測定や「Ｍｅａｓｕｒｅｍｅｎｔ  ｒｅｐｏｒｔ」の送信を行う。
【００２８】
ところで、「Ｃａｒｒｉｅｒ  ａｇｇｒｅｇａｔｉｏｎ」を行なっている場合、サービングセルは、「Ｃｏｍｐｏｎｅｎｔ  Ｃａｒｒｉｅｒ」毎に、「Ｐｃｅｌｌ」及び「Ｓｃｅｌｌ」が設定される。
【００２９】
「Ｐｃｅｌｌ」は、１つだけ設定される。「Ｐｃｅｌｌ」が設定された「Ｃｏｍｐｏｎｅｎｔ  Ｃａｒｒｉｅｒ」は、「ＰＣＣ（Ｐｒｉｍａｒｙ  Ｃｏｍｐｏｎｅｎｔ  Ｃａｒｒｉｅｒ）」と呼ばれてもよい。
【００３０】
また、「Ｓｃｅｌｌ」は、「Ｃｏｍｐｏｎｅｎｔ  Ｃａｒｒｉｅｒ」が複数ある場合は、「Ｃｏｍｐｏｎｅｎｔ  Ｃａｒｒｉｅｒ」毎に設定される。「Ｓｃｅｌｌ」が設定された「Ｃｏｍｐｏｎｅｎｔ  Ｃａｒｒｉｅｒ」は、「ＳＣＣ（Ｓｅｃｏｎｄａｒｙ  Ｃｏｍｐｏｎｅｎｔ  Ｃａｒｒｉｅｒ）」と呼ばれてもよい。
【００３１】
一般的に、「Ｃａｒｒｉｅｒ  ａｇｇｒｅｇａｔｉｏｎ」を行う場合、複数の「Ｃｏｍｐｏｎｅｎｔ  Ｃａｒｒｉｅｒ」が隣り合うキャリアであるケース（つまり、同じ周波数バンド内に配置されているケース）と、複数の「Ｃｏｍｐｏｎｅｎｔ  Ｃａｒｒｉｅｒ」が隣り合わないケース（つまり、異なるバンド間に配置されるケース）が考えられている。
【００３２】
ユーザ装置ＵＥは、隣り合う「Ｃｏｍｐｏｎｅｎｔ  Ｃａｒｒｉｅｒ」によるＣＡ通信に対しては単一の無線回路で処理し、隣り合わない「Ｃｏｍｐｏｎｅｎｔ  Ｃａｒｒｉｅｒ」によるＣＡ通信に対しては複数の無線回路で処理を行うのが一般的である。単一の無線回路を用いる目的としては、デバイス等の部品点数を減らすことなどがある。
【００３３】
なお、ユーザ装置ＵＥは、「Ｃａｒｒｉｅｒ  ａｇｇｒｅｇａｔｉｏｎ」を行っている場合、「Ｐｃｅｌｌ」では、常に無線基地局ｅＮＢからの信号を受信しておく必要があるが、「Ｓｃｅｌｌ」では、データ信号が送られている場合のみ信号を受信すればよい。
【００３４】
よって、ユーザ装置ＵＥは、「Ｓｃｅｌｌ」又は「ＳＣＣ」において、信号を受信する場合又は「Ｍｅａｓｕｒｅｍｅｎｔ処理」を行う場合のみ、無線回路を該キャリアに設定すればよく、その結果、消費電流を抑えることできると考えられている。
【００３５】
ただし、ユーザ装置ＵＥは、一定の期間毎に、「Ｍｅａｓｕｒｅｍｅｎｔ処理」を行い、「Ｍｅａｓｕｒｅｍｅｎｔ  ｒｅｐｏｒｔ」の送信を行う必要がある。
【００３６】
また、ＬＴＥ方式及びＬＴＥ-ａｄｖａｎｃｅｄ方式では、間欠受信（ＤＲＸ：Ｄｉｓｃｏｎｔｉｎｕｏｕｓ  Ｒｅｃｅｐｔｉｏｎ）制御が適用されている。
【００３７】
かかるＤＲＸ制御は、無線基地局ｅＮＢとユーザ装置ＵＥとが接続中であり、かつ、通信すべきデータが存在しない場合に適用され、ＤＲＸ状態にあるユーザ装置ＵＥは、周期的に、すなわち、間欠的に、物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）を介して送信される下り制御信号を受信するように構成されている。
【００３８】
かかるＰＤＣＣＨを介して送信される下り制御信号を受信する時間は、「Ｏｎ-ｄｕｒａｔｉｏｎ（ＯＮ区間、受信区間）」と呼ばれる。
【００３９】
かかる場合、ユーザ装置ＵＥは、全てのタイミングではなく、間欠的に、ＰＤＣＣＨを介して送信される下り制御信号を受信すればよいため、バッテリーの消費電力を低減することが可能となる。
【００４０】
より具体的には、ユーザ装置ＵＥは、図８に示すように、ＤＲＸ周期（図８の例では、１２８０ｍｓ）毎に設定される受信区間（図８の例では、５ｍｓ）においてのみ、ＰＤＣＣＨを介して送信される下り制御信号を受信し、それ以外の送受信機をＯＦＦとするように構成されている。その結果、ユーザ装置ＵＥにおいて、バッテリーの消費電力を低減することが可能となる。
【００４１】
なお、ＤＲＸ状態においては、ユーザ装置ＵＥのバッテリーの消費電力を低減するという効果を最大化するため、上述したサービングセル及び周辺セルからの信号の受信電力の測定頻度が低減される。
【先行技術文献】
【非特許文献】
【００４２】
【非特許文献１】３ＧＰＰ  ＴＳ３６.２１１（Ｖ１０.１.０）
【非特許文献２】３ＧＰＰ  ＴＳ３６.９１３（Ｖ１０.０.０）
【非特許文献３】３ＧＰＰ  ＴＳ３６.２１４（Ｖ１０.１.０）
【発明の概要】
【発明が解決しようとする課題】
【００４３】
しかしながら、上述した従来の移動通信システムには、以下のような問題点がある。
【００４４】
上述したように、ＬＴＥ-Ａｄｖａｎｃｅｄ方式において、「Ｃａｒｒｉｅｒ  ａｇｇｒｅｇａｔｉｏｎ」が行われる場合、「ＳＣｅｌｌ」や「ＳＣＣ」では、常にデータが送信されるわけではないため、ユーザ装置ＵＥは、「ＳＣｅｌｌ」や「ＳＣＣ」では、常に、信号の受信や「Ｍｅａｓｕｒｅｍｅｎｔ処理」を行う必要はなく、無線回路における周波数帯域幅を狭めることで消費電流削減が図れることから、ユーザ装置ＵＥは、一定の間隔で無線回路を制御する。
【００４５】
しかし、特に、上述した「Ｃｏｍｐｏｎｅｎｔ  Ｃａｒｒｉｅｒ」が隣り合うケース、つまり、「Ｃｏｍｐｏｎｅｎｔ  Ｃａｒｒｉｅｒ」が同じ周波数バンド内に配置されている場合には、ユーザ装置ＵＥは、単一の無線回路で、信号の受信や「Ｍｅａｓｕｒｅｍｅｎｔ処理」を実施するため、無線回路の制御切り替え時に瞬断が起き、「ＰＣｅｌｌ」や「ＰＣＣ」における信号の受信や「Ｍｅａｓｕｒｅｍｅｎｔ処理」の精度が劣化してしまうという問題が生じる場合が存在する。
【００４６】
そこで、本発明は、上述の課題に鑑みてなされたものであり、マルチキャリア伝送を行う場合に、適切に下りリンクの無線品質の測定を行うことのできるユーザ装置及び移動通信方法を提供することを目的とする。
【課題を解決するための手段】
【００４７】
本発明の第１の特徴は、移動通信システム内で、第１キャリア及び第２キャリアを用いて、基地局装置と無線通信するユーザ装置であって、前記第１キャリア及び前記第２キャリアにおける測定処理を行うように構成されている測定部を具備し、前記測定部は、前記第１キャリアにおいてＤＲＸ制御が適用されている場合、ＤＲＸ周期毎に設定される受信区間外でのみ、前記第２キャリアにおける測定処理を行うように構成されていることを要旨とする。
【００４８】
本発明の第２の特徴は、移動通信システム内で、第１キャリア及び第２キャリアを用いて、基地局装置と無線通信するユーザ装置であって、前記第１キャリア及び前記第２キャリアにおける測定処理を行うように構成されている測定部を具備し、前記測定部は、前記第１キャリアにおいてＤＲＸ制御が適用されている場合、ＤＲＸ周期毎に設定される受信区間外でのみ、前記第２キャリアにおける測定処理を行うために測定帯域幅の制御を行うように構成されていることを要旨とする。
【００４９】
本発明の第３の特徴は、移動通信システム内で、第１キャリア及び第２キャリアを用いて、基地局装置とユーザ装置との間で無線通信を行う移動通信方法であって、前記第１キャリア及び前記第２キャリアにおける測定処理を行う工程を有し、前記工程において、前記第１キャリアにおいてＤＲＸ制御が適用されている場合、ＤＲＸ周期毎に設定される受信区間外でのみ、前記第２キャリアにおける測定処理を行うことを要旨とする。
【発明の効果】
【００５０】
以上説明したように、本発明によれば、マルチキャリア伝送を行う場合に、適切に下りリンクの無線品質の測定を行うことのできるユーザ装置及び移動通信方法を提供することができる。
【図面の簡単な説明】
【００５１】
【図１】本発明の第１の実施形態に係る移動通信システムの全体構成図である。
【図２】本発明の第１の実施形態に係る移動通信システムの全体構成図である。
【図３】本発明の第１の実施形態に係る無線基地局の機能ブロック図である。
【図４】本発明の第１の実施形態に係るユーザ装置の機能ブロック図である。
【図５】本発明の第１の実施形態に係るユーザ装置における測定処理について説明するための図である。
【図６】従来の移動通信システムの動作を説明するためのフローチャートである。
【図７】従来の移動通信システムにおけるハンドオーバ手順について説明するための図である。
【図８】従来の移動通信システムにおけるＤＲＸ制御について説明するための図である。
【発明を実施するための形態】
【００５２】
（本発明の第１の実施形態に係る移動通信システム）
図１乃至図５を参照して、本発明の第１の実施形態に係る移動通信システムについて説明する。
【００５３】
本実施形態に係る移動通信システムは、ＬＴＥ-Ａｄｖａｎｃｅｄ方式の移動通信システムであって、図１に示すように、無線基地局ｅＮＢ＃１、無線基地局ｅＮＢ＃２及び無線基地局ｅＮＢ＃３を具備している。
【００５４】
図１に示すように、無線基地局ｅＮＢ＃１配下には、セル＃１１Ａとセル＃１１Ｂとセル＃１１Ｃとセル＃１２Ａとセル＃１２Ｂとセル＃１２Ｃとが配置されており、無線基地局ｅＮＢ＃２配下には、セル＃２１Ａとセル＃２１Ｂとセル＃２１Ｃとセル＃２２Ａとセル＃２２Ｂとセル＃２２Ｃとが配置されており、無線基地局ｅＮＢ＃３配下には、セル＃３１Ａとセル＃３１Ｂとセル＃３１Ｃとセル＃３２Ａとセル＃３２Ｂとセル＃３２Ｃとが配置されている。
【００５５】
ここで、セル＃１１Ａ、セル＃１１Ｂ、セル＃１１Ｃ、セル＃２１Ａ、セル＃２１Ｂ、セル＃２１Ｃ、セル＃３１Ａ、セル＃３１Ｂ及びセル＃３１Ｃには、それぞれ、搬送周波数（キャリア）Ｆ１が用いられている。
【００５６】
同様に、セル＃１２Ａ、セル＃１２Ｂ、セル＃１２Ｃ、セル＃２２Ａ、セル＃２２Ｂ、セル＃２２Ｃ、セル＃３２Ａ、セル＃３２Ｂ及びセル＃３２Ｃには、それぞれ、搬送周波数（キャリア）Ｆ２が用いられている。
【００５７】
かかる移動通信システムでは、ユーザ装置ＵＥと無線基地局ｅＮＢ＃１乃至ｅＮＢ＃３との間で、図２に示すように、主キャリア（ＰＣＣ）を用いて形成するセル及びＰＣＣと搬送周波数が異なる１つ又は複数の副キャリア（ＳＣＣ）を用いて形成するセルを用いたＣＡ通信を行うことができるように構成されている。
【００５８】
ここで、「ＰＣＣ」及び「ＳＣＣ」において、サービングセルとして、それぞれ「Ｐｃｅｌｌ」及び「Ｓｃｅｌｌ」が設定される。
【００５９】
例えば、ユーザ装置ＵＥは、例えば、２ＧＨｚ帯のＣＣ（５ＭＨｚ）と２ＧＨｚ帯のＣＣ（５ＭＨｚ）とを用いて、ＣＡ通信を行うことができるように構成されている。
【００６０】
なお、無線基地局ｅＮＢ＃１乃至ｅＮＢ＃３の機能は、基本的に同一であるため、以下、特段の断りがない場合には、無線基地局ｅＮＢ＃１乃至ｅＮＢ＃３をまとめて無線基地局ｅＮＢと表記することとする。
【００６１】
また、ユーザ装置ＵＥは、ＣＡ通信を行う場合、１つの無線基地局ｅＮＢ配下のＣＣしか用いることができない。
【００６２】
なお、ＣＡ通信では、無線基地局ｅＮＢが、各ユーザ装置ＵＥにおいてＰＣＣ及びＳＣＣとして用いるべきＣＣを指定するように構成されている。
【００６３】
また、ユーザ装置ＵＥは、定期的に、無線基地局ｅＮＢによって送信された「Ｍｅａｓｕｒｅｍｅｎｔ  Ｃｏｎｆｉｇｕｒａｔｉｏｎ」に含まれる「Ｍｅａｓｕｒｅｍｅｎｔ  Ｏｂｊｅｃｔ」によって指定されている測定対象ＣＣにおける各セルの無線品質を測定するように構成されている。
【００６４】
そして、ユーザ装置ＵＥは、無線基地局ｅＮＢによって送信された「Ｍｅａｓｕｒｅｍｅｎｔ  Ｃｏｎｆｉｇｕｒａｔｉｏｎ」に含まれる「Ｒｅｐｏｒｔｉｎｇ  Ｃｏｎｆｉｇｕｒａｔｉｏｎ」によって指定されている報告条件（例えば、３ＧＰＰで規定されているＥｖｅｎｔ  Ａ１〜Ｅｖｅｎｔ  Ａ６）が満たされた場合に、無線基地局ｅＮＢに対して、上述の測定結果（測定対象ＣＣにおける上記報告条件を満たしたセルのＩＤ及び前記セルの無線品質）を含む「Ｍｅａｓｕｒｍｅｎｔ  Ｒｅｐｏｒｔ」を送信するように構成されている。
【００６５】
図３に示すように、無線基地局ｅＮＢは、受信部１１と、ＣＡ制御部１２と、送信部１３とを具備している。
【００６６】
受信部１１は、各ユーザ装置ＵＥによって送信された信号を受信するように構成されている。例えば、ユーザ装置ＵＥから、上述の「Ｍｅａｓｕｒｅｍｅｎｔ  Ｒｅｐｏｒｔ」を受信するように構成されている。
【００６７】
ＣＡ制御部１２は、各ユーザ装置ＵＥにおけるＣＡ通信に用いる「ＰＣＣ」及び「ＳＣＣ」を決定するように構成されている。
【００６８】
送信部１３は、各ユーザ装置ＵＥに対して、信号を送信するように構成されている。例えば、送信部１３は、各ユーザ装置ＵＥに対して、ＣＡ通信において用いるべき「ＰＣＣ」又は「ＳＣＣ」の変更や「ＳＣＣ」の追加や「ＳＣＣ」の削除を指示する「ＲＲＣ  Ｒｅｃｏｎｆｉｇｕｒａｔｉｏｎ」を送信するように構成されている。
【００６９】
図４に示すように、ユーザ装置ＵＥは、受信部２１と、ＣＡ制御部２２と、送信部２３と、間欠受信制御部２４と、測定部２５を具備している。
【００７０】
受信部２１は、無線基地局ｅＮＢによって送信された信号を受信するように構成されている。例えば、無線基地局ｅＮＢから、上述の「Ｍｅａｓｕｒｅｍｅｎｔ  Ｃｏｎｆｉｇｕｒａｔｉｏｎ」に含まれる「Ｒｅｐｏｒｔｉｎｇ  Ｃｏｎｆｉｇｕｒａｔｉｏｎ」を受信するように構成されている。
【００７１】
ＣＡ制御部２２は、各ユーザ装置ＵＥにおけるＣＡ通信に用いる「ＰＣＣ」及び「ＳＣＣ」を管理するように構成されている。
【００７２】
例えば、間欠状態制御部２４が、ＰＣＣにおいてＤＲＸ制御を適用している場合、ＣＡ制御部２２は、ＤＲＸ周期毎に設定される受信区間外でのみ測定処理を行うように、測定部２５に対して指示するように構成されている。
【００７３】
間欠状態制御部２４は、各ユーザ装置ＵＥにおける間欠受信状態に応じて、周期的に、受信部２１及び測定部２５に対して、それぞれ信号の受信処理及び測定処理の実施を指示するように構成されている。
【００７４】
例えば、間欠状態制御部２４は、ＣＡ制御部２２において、キャリアアグリゲーションが行なわれていると判定されている場合、間欠状態であった場合に、ＤＲＸ周期毎に設定される受信区間外でのみ測定を実施するように、測定部２５に対して指示を実施するように構成されている。
【００７５】
送信部２３は、無線基地局ｅＮＢに対して、信号を送信するように構成されている。
【００７６】
例えば、送信部２３は、無線基地局ｅＮＢに対して、「Ｍｅａｓｕｒｅｍｅｎｔ  Ｒｅｐｏｒｔ」を送信するように構成されている。
【００７７】
測定部２５は、「Ｍｅａｓｕｒｅｍｅｎｔ処理（測定処理）」を行うように構成されている。
【００７８】
例えば、ＣＡ制御部２２が、ＣＡ制御を適用している場合、ＰＣＣ及びＳＣＣにおける測定処理を行うように構成されている。
【００７９】
また、測定部２５は、ＣＡ制御部２２が、ＣＡ制御を適用している場合で、かつ、間欠状態制御部２４が、ＰＣＣにおいてＤＲＸ制御を適用している場合、図５に示すように、ＤＲＸ周期毎に設定される受信区間外でのみ、ＳＣＣにおける測定処理を行うように構成されている。
【００８０】
なお、かかる場合、ＳＣＣにおける「ＳＣｅｌｌ」は、ユーザ装置ＵＥによって常時ＰＤＣＣＨを監視する必要がある「Ａｃｔｉｖｅ状態」であってもよいし、ユーザ装置ＵＥ宛ての信号が存在する場合にのみユーザ装置ＵＥによって下りリンク信号の受信する必要がある「Ｄｅａｃｔｉｖｅ状態」であってもよい。
【００８１】
本発明の第１の実施形態に係る移動通信システムによれば、第２キャリア（ＳＣＣ）における測定処理において、無線回路の切り替えによる瞬断の影響を受けないように、第１キャリア（ＰＣＣ）における下りリンク信号の受信処理を行うことが可能となるため、マルチキャリア伝送（例えば、ＣＡ通信）を行う場合に、適切に下りリンクの無線品質の測定を行うことができる。
【００８２】
以上に述べた本実施形態の特徴は、以下のように表現されていてもよい。
【００８３】
本実施形態の第１の特徴は、移動通信システム内で、ＰＣＣ（第１キャリア）及びＳＣＣ（第２キャリア）を用いて、基地局装置ｅＮＢとＣＡ通信（無線通信）を行うユーザ装置ＵＥであって、ＰＣＣ及びＳＣＣにおける測定処理を行うように構成されている測定部２５を具備し、測定部２５は、ＰＣＣにおいてＤＲＸ制御（間欠受信制御）が適用されている場合、ＤＲＸ周期（間欠受信周期）毎に設定される受信区間外でのみ、ＳＣＣにおける測定処理を行うように構成されていることを要旨とする。
【００８４】
本実施形態の第２の特徴は、移動通信システム内で、ＰＣＣ及びＳＣＣを用いて、基地局装置ｅＮＢとＣＡ通信を行うユーザ装置ＵＥであって、ＰＣＣ及びＳＣＣにおける測定処理を行うように構成されている測定部２５を具備し、測定部２５は、ＰＣＣにおいてＤＲＸ制御（間欠受信制御）が適用されている場合、ＤＲＸ周期毎に設定される受信区間外でのみ、ＳＣＣにおける測定処理を行うために測定帯域幅の制御を行うように構成されていることを要旨とする。
【００８５】
本実施形態の第１及び第２の特徴において、測定部２５は、上述の測定処理において、下りリンクのリファレンス信号の受信レベル、ＲＳＲＰ及びＲＳＲＱの少なくとも１つを測定するように構成されていてもよい。
【００８６】
本実施形態の第１及び第２の特徴において、測定部２５は、上述の測定処理において、ハンドオーバのための下りリンクの測定処理を行うように構成されていてもよい。
【００８７】
本実施形態の第１及び第２の特徴において、測定部２５は、上述の測定処理において、下りリンクのチャネル品質情報を測定するように構成されていてもよい。
【００８８】
本実施形態の第１及び第２の特徴において、ＰＣＣ及びＳＣＣは、同一の周波数バンド内に配置されていてもよい。
【００８９】
本実施形態の第３の特徴は、移動通信システム内で、ＰＣＣ及びＳＣＣを用いて、基地局装置ｅＮＢとユーザ装置ＵＥとの間でＣＡ通信を行う移動通信方法であって、ＰＣＣ及びＳＣＣにおける測定処理を行う工程を有し、かかる工程において、ＰＣＣにおいてＤＲＸ制御が適用されている場合、ＤＲＸ周期毎に設定される受信区間外でのみ、ＳＣＣにおける測定処理を行うことを要旨とする。
【００９０】
なお、上述の無線基地局ｅＮＢやユーザ装置ＵＥの動作は、ハードウェアによって実施されてもよいし、プロセッサによって実行されるソフトウェアモジュールによって実施されてもよいし、両者の組み合わせによって実施されてもよい。
【００９１】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００９２】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢやユーザ装置ＵＥ内に設けられていてもよい。また、かかる記憶媒体及びプロセッサは、ディスクリートコンポーネントとして無線基地局ｅＮＢやユーザ装置ＵＥ内に設けられていてもよい。
【００９３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００９４】
ＵＥ…ユーザ装置
ｅＮＢ…無線基地局
１１、２１…受信部
１２、２２…ＣＡ制御部
１３、２３…送信部
２４…間欠受信制御部
２５…測定部
【図１】
0005420587.tif 000002
【図２】
0005420587.tif 000003
【図３】
0005420587.tif 000004
【図４】
0005420587.tif 000005
【図５】
0005420587.tif 000006
【図６】
0005420587.tif 000007
【図７】
0005420587.tif 000008
【図８】
0005420587.tif 000009